(57)【特許請求の範囲】
【請求項１】
筒状のケースを外殻とするとともにエンジンが排出する排気を浄化する排気浄化装置を取付対象物に固定する、排気浄化装置取付構造であって、
前記ケースの外周面に取付けられた少なくとも一つの取付体を有し、
前記取付体は、前記ケースの軸線であるケース軸線の方向に取付幅を有するとともに前記ケースの外周面から前記ケースの外方へ張り出した張出部と、前記張出部において前記ケースの外周面に位置する端部である基端部から前記ケースの周方向の両側へ延長された２つの延長部と、を有し、
前記張出部は、前記取付体を前記取付対象物に取付けるための固定部を有し、
それぞれの前記延長部は、前記基端部からの延長方向の先端となる先端辺と、前記先端辺と前記基端部との間に位置しているとともに互いに対向する２つの対向辺と、を有して矩形状に構成されており、
それぞれの前記延長部において、前記先端辺は前記ケースの外周面との溶接部である先端辺溶接部を有し、
それぞれの前記延長部において、それぞれの前記対向辺は前記ケースの外周面との溶接部である対向辺溶接部を有し、
前記取付体は前記ケースの外周面に複数設けられており、
複数の前記取付体は、前記ケースの外周面において前記ケース軸線を通りかつ重力方向に沿う仮想平面である軸線仮想平面を挟んで設定される第１領域と第２領域とに、それぞれ、少なくとも一つずつ配置されており、
さらに、前記取付体は、第１取付体と第２取付体とによって構成され、
前記第１取付体は、前記ケース軸線の方向に前記取付幅を有するとともに前記ケースの外周面から外方へ張り出した第１張出部と、前記第１張出部において前記ケースの外周面に位置する端部から前記周方向の一方側へ矩形状に延長された第１延長部と、を有し、
前記第２取付体は、前記ケース軸線の方向に前記取付幅を有するとともに前記ケースの外周面から外方へ張り出した第２張出部と、前記第２張出部において前記ケースの外周面に位置する端部から前記一方側とは反対側の前記周方向へ矩形状に延長された第２延長部と、を有し、
前記取付体の前記張出部は、前記第１張出部と前記第２張出部とが前記周方向に互いに突き合わされた状態とされており、
前記取付体の前記延長部は、前記第１延長部と前記第２延長部とで形成されている、
排気浄化装置取付構造。
【発明の詳細な説明】
【技術分野】
【０００１】
本発明は、エンジンが排出する排気を浄化する筒状の排気浄化装置を取付対象物に固定する、排気浄化装置取付構造に関する。
【背景技術】
【０００２】
エンジンからの排気を浄化する排気浄化装置として、微粒子捕捉用のフィルターを内部に有する筒状の排気浄化装置が知られている（例えば特許文献１）。この種の排気浄化装置の外殻を構成する筒状のケースは肉薄である。そのため、例えばケースの外周面に溶接した単純形状のＬ字型のブラケットによってケースを取付対象物に取付けた場合、振動による応力がブラケットの溶接部に集中し、ケースに亀裂が生じやすい。
【０００３】
特許文献１に開示された排気浄化装置においては、ケースの軸線方向に離間した２箇所において、当該ケースが支持ブラケットなどの取付対象物に取付けられている。一方の取付箇所では、ケースの外周面に沿って形成されたフランジの一部に支持プレートを取付け、当該支持プレートを支持ブラケットに固定している。他方の取付箇所では、Ｕ字ボルトをケースに係止させた状態とし、当該Ｕ字ボルトを支持ブラケットに固定している。
【先行技術文献】
【特許文献】
【０００４】
【特許文献１】特許第４９７２２２８号公報
【発明の概要】
【発明が解決しようとする課題】
【０００５】
ところで、建設機械用エンジンなどの大排気量型エンジンにおける排気浄化装置の固定構造として、従来のようにＵ字ボルトを使用して、排気浄化装置の筒状ケースをエンジンに固定された支持ブラケットに取付ける構造を採用した場合には、排気浄化装置の重量が大きいことやエンジンからの振動が大きいことなどにより、排気浄化装置の取付け強度が不足してしまい当該排気浄化装置を安定して支持できないという虞がある。
【０００６】
本発明の課題は、筒状のケースを外殻とした排気浄化装置を、ケースに亀裂が生じることを抑制しながら確実に取付対象物に固定することができる、排気浄化装置取付構造を提供することにある。
【課題を解決するための手段】
【０００７】
上記の課題を解決するため、本発明はつぎの手段をとる。
【０００８】
本発明の第１発明は、筒状のケースを外殻とするとともにエンジンが排出する排気を浄化する排気浄化装置を取付対象物に固定する、排気浄化装置取付構造であって、ケースの外周面に取付けられた少なくとも一つの取付体を有する。取付体は、ケースの軸線であるケース軸線の方向に取付幅を有するとともにケースの外周面からケースの外方へ張り出した張出部と、張出部においてケースの外周面に位置する端部である基端部からケースの周方向の両側へ延長された２つの延長部と、を有する。張出部は、取付体を取付対象物に取付けるための固定部を有する。それぞれの延長部は、基端部からの延長方向の先端となる先端辺と、先端辺と基端部との間に位置しているとともに互いに対向する２つの対向辺と、を有して矩形状に構成されている。それぞれの延長部において、先端辺はケースの外周面との溶接部である先端辺溶接部を有する。それぞれの延長部において、それぞれの対向辺はケースの外周面との溶接部である対向辺溶接部を有する。
【０００９】
本発明の第２発明は、第１発明に記載された排気浄化装置取付構造であって、取付体はケースの外周面に複数設けられている。複数の取付体は、ケースの外周面においてケース軸線を通りかつ重力方向に沿う仮想平面である軸線仮想平面を挟んで設定される第１領域と第２領域とに、それぞれ、少なくとも一つずつ配置されている。
【００１０】
本発明の第３発明は、第１発明または第２発明に記載された排気浄化装置取付構造であって、取付体は、第１取付体と第２取付体とによって構成されている。第１取付体は、ケース軸線の方向に取付幅を有するとともにケースの外周面から外方へ張り出した第１張出部と、第１張出部においてケースの外周面に位置する端部から周方向の一方側へ矩形状に延長された第１延長部と、を有する。第２取付体は、ケース軸線の方向に取付幅を有するとともにケースの外周面から外方へ張り出した第２張出部と、第２張出部においてケースの外周面に位置する端部から前記一方側とは反対側の周方向へ矩形状に延長された第２延長部と、を有する。取付体の張出部は、第１張出部と第２張出部とが周方向に互いに突き合わされた状態とされている。取付体の延長部は、第１延長部と第２延長部とで形成されている。
【発明の効果】
【００１１】
第１発明においては、筒状のケースの外周面との溶接部を有する取付体を介して、取付対象物に排気浄化装置のケースを安定して取付け固定することができる。排気浄化装置を構成する筒状のケースは、引っ張り方向の力（引張応力）に対しては強度が低いが、圧縮方向の力（圧縮応力）に対しては強度が高い。そこで、第１発明では、ケースに溶接固定される取付体に作用する荷重に対して、特定の溶接部に引張応力が集中しない構造が採用されている。例えば図６に示すように、取付体の固定部に、ケースの周方向に沿う荷重Ｆ１が作用する場合には、その荷重を、一方の延長部に設定された符号６８ａの溶接部にて圧縮応力として受けるため、他方の延長部に設定された符号７８ａの溶接部に大きな引張応力が集中することがない。また、図７に示すように、取付体の固定部に、ケース軸線の方向に沿う荷重Ｆ２が作用する場合には、その荷重を、延長部におけるケース軸線方向の一端側に設定された符号６８ｂ，７８ｂの溶接部にて圧縮応力として受けるため、延長部におけるケース軸線方向の他方側に設定された符号６８ｃ，７８ｃの溶接部に大きな引張応力が集中することがない。このように、ケースに溶接された取付体に作用する荷重が特定の溶接部に引張応力として集中しないようにすることで、ケースに亀裂が生じることが防止される。
【００１２】
第２発明においては、ケースに溶接固定される取付体に作用する径方向への荷重に対して、特定の溶接部に引張応力が集中しない構造が採用されている。図８に示すように、取付体の固定部にケースの径方向に沿う荷重Ｆ３が作用する場合（符号１５０の取付対象物から符号５０Ａ及び５０Ｂの取付体に荷重Ｆ３が作用した場合）、その荷重を、符号Ｓの軸線仮想平面を挟んで設けられた一方の取付体（符号５０Ｂ）の各溶接部にて圧縮応力として受けるため、軸線仮想平面を挟んで設けられた他方の取付体（符号５０Ａ）の各溶接部に大きな引張応力が集中することがない。このように、ケースに溶接された取付体に作用する荷重が特定の溶接部に引張応力として集中しないようにすることで、ケースに亀裂が生じることが防止される。
【００１３】
第３発明においては、張出部と、張出部に対して折れ曲がった延長部と、で構成された簡単な形状の第１取付体と第２取付体とによって取付体が構成されていることから、取付体の構成がシンプルである。
【図面の簡単な説明】
【００１４】
【図１】エンジンユニットの斜視図である。
【図２】図１のII-II矢視方向の断面図である。
【図３】図１のIII領域を拡大して表した斜視図である。
【図４】図２のIV領域を拡大して表した断面図である。
【図５】外周面用ステイを図４の矢印V方向から見た正面図である。
【図６】第１外周面用ステイにＺ軸方向への荷重が働いた場合の例を表した説明図である。
【図７】第１外周面用ステイにＸ軸方向への荷重が働いた場合の例を表した説明図である。
【図８】外周面用ステイにＹ軸方向への荷重が働いた場合の例を表した説明図である。
【図９】外周面用ステイの変更例を図４との対応によって表した断面図である。
【発明を実施するための形態】
【００１５】
以下、本発明を実施するための形態を、図面を用いて説明する。図１に示すエンジンユニット１は、例えば建設機械であるパワーショベルの駆動源として設けられている。エンジンユニット１は、エンジン１０と、エンジン１０と一体に設けられた電動モータ２０と、電動モータ２０の上方に設けられた排気浄化装置３０と、を有する。排気浄化装置３０は、エンジン１０からの排気を浄化する。各図面おいてＸ軸とＹ軸とＺ軸とは互いに直交しており、Ｚ軸が指す方向は、上方に対応している。Ｘ軸方向は、後述のケース軸線Ｊ方向に対応している。
【００１６】
排気浄化装置３０は、図１に示すように、円筒状のケース３１を外殻としている。ケース３１は、図２に示すように、肉薄である。ケース３１は、取付対象部材１５０（取付対象物）に取付けられている。ケース３１は、図１に示すように、当該ケース３１の外周面３２（以下、「浄化装置外周面」と記す）に設けられたフランジ用ステイ４２と外周面用ステイ５０とによって、取付対象部材１５０に取付けられている。フランジ用ステイ４２と外周面用ステイ５０とは、ケース３１の軸線であるケース軸線Ｊの方向に離間して設けられている。以下の説明において、周方向及び径方向はそれぞれ、ケース３１の周方向及び径方向を指す。ケース３１の周方向とは、ケース軸線Ｊに対して直交する仮想平面である直交仮想平面Ｑ（図１参照）でケース３１を切断した場合のケース３１の輪郭に沿う方向である。フランジ用ステイ４２は、フランジ３４に設けられている。
【００１７】
外周面用ステイ５０（取付体）は、図２に示すように、浄化装置外周面３２に複数（本実施形態では２つ）設けられている。外周面用ステイ５０は、浄化装置外周面３２に設定される第１領域３１ａと第２領域３１ｂとにそれぞれ一つずつ配置されている。第１領域３１ａと第２領域３１ｂとは、ケース軸線Ｊを通りかつ重力方向（Ｚ軸が指す方向とは反対方向）に沿う仮想平面である軸線仮想平面Ｓ（図１，２参照）を挟んで設定された領域である。第１外周面用ステイ５０Ａ（取付体）と第２外周面用ステイ５０Ｂ（取付体）は、軸線仮想平面Ｓを挟んで対称な位置に配置され、かつ、ケース軸線Ｊ方向の同一位置に配置されている。第１外周面用ステイ５０Ａ（取付体）と第２外周面用ステイ５０Ｂ（取付体）の構成は同一であるため、以下では、第１外周面用ステイ５０Ａについて説明し、第２外周面用ステイ５０Ｂについては重複した説明を省略する。なお、図２ではケース３１の内部の構造を省略している。
【００１８】
第１外周面用ステイ５０Ａは、図３〜５に示すように、浄化装置外周面３２を周方向に亘って跨ぐことなく浄化装置外周面３２の一部のみに設けられている。第１外周面用ステイ５０Ａは、ケース軸線Ｊ方向に取付幅Ｋ（図５参照）を有するとともに浄化装置外周面３２から径方向外方へ板状に張り出した張出部５２と、ケース軸線Ｊ方向に取付幅Ｋ（図５参照）を有するとともに張出部５２において浄化装置外周面３２に位置する端部である基端部５６から周方向の両側へ板状に延長された２つの延長部５４ａ，５４ｂと、を有する。取付幅Ｋは、張出部５２及び両延長部５４ａ，５４ｂのケース軸線Ｊ方向の寸法である。両延長部５４ａ，５４ｂはそれぞれ、後述の第１延長部６４及び第２延長部７４に対応している。なお図３では、排気浄化装置３０と第１外周面用ステイ５０Ａのみが示されて、取付対象部材１５０等が省略されている。
【００１９】
張出部５２は、図３〜５に示すように、後述する第１張出部６２と第２張出部７２とが周方向に互いに付き合わされた状態とされている。張出部５２は、当該張出部５２が厚み方向に貫通された孔部Ｈ（固定部）であって第１外周面用ステイ５０Ａを取付対象部材１５０に取付けるための孔部Ｈを有する。孔部Ｈは、後述の第１孔部Ｈ１と第２孔部Ｈ２とによって構成されている。この孔部Ｈと取付対象部材１５０の孔部１５０ＨとにボルトＢが挿通され、且つ、ボルトＢがナットＮで締結されることで、第１外周面用ステイ５０Ａが取付対象部材１５０に取付けられている。なお、孔部１５０Ｈは、取付対象部材１５０において、板状の被取付部１５０ａに設けられている。
【００２０】
第１外周面用ステイ５０Ａは、図３〜５に示すように、第１構成ステイ６０（第１取付体）と第２構成ステイ７０（第２取付体）とによって構成されている。第１構成ステイ６０は、ケース軸線Ｊ方向に取付幅Ｋ（図５参照）を有するとともに浄化装置外周面３２から径方向外方へ板状に張り出した第１張出部６２と、ケース軸線Ｊ方向に取付幅Ｋを有するとともに第１張出部６２において浄化装置外周面３２に位置する端部である第１基端部６６から周方向の一方側へ矩形の板状に延長された第１延長部６４と、を有する。第１構成ステイ６０は、ケース軸線Ｊ方向から見た場合の端面形状（直交仮想平面Ｑ（図１参照）で切断した場合の断面形状）がＬ字状に構成されており、第１張出部６２と第１延長部６４とが略直交している。第１張出部６２は、当該第１張出部６２が厚み方向に貫通された第１孔部Ｈ１を有する。
【００２１】
第１延長部６４は、図５に示すように、第１基端部６６からの延長方向の先端となる第１先端辺６４ａ（先端辺）と、第１先端辺６４ａと第１基端部６６との間に位置しているとともに互いに対向する２つの第１対向辺６４ｂ，６４ｃ（対向辺）と、を有する。第１先端辺６４ａは、浄化装置外周面３２との溶接部である第１先端辺溶接部６８ａ（先端辺溶接部）を有する。第１対向辺６４ｂは、浄化装置外周面３２との溶接部である第１対向辺第１溶接部６８ｂ（対向辺溶接部）を有する。第１対向辺６４ｃは、浄化装置外周面３２との溶接部である第１対向辺第２溶接部６８ｃ（対向辺溶接部）を有する。各溶接部６８ａ，６８ｂ，６８ｃは、対応する各辺６４ａ，６４ｂ，６４ｃの一部のみに設けられている。各溶接部６８ａ，６８ｂ，６８ｃは、対応する各辺６４ａ，６４ｂ，６４ｃの全域に亘って設けられてもよい。
【００２２】
第２構成ステイ７０（図３〜５参照）は、ケース軸線Ｊ方向に取付幅Ｋを有するとともに浄化装置外周面３２から径方向外方へ板状に張り出した第２張出部７２と、ケース軸線Ｊ方向に取付幅Ｋを有するとともに第２張出部７２において浄化装置外周面３２に位置する端部である第２基端部７６から第１延長部６４とは反対側の周方向へ矩形の板状に延長された第２延長部７４と、を有する。第２構成ステイ７０は、ケース軸線Ｊ方向から見た場合の端面形状（直交仮想平面Ｑ（図１参照）で切断した場合の断面形状）がＬ字状に構成されており、第２張出部７２と第２延長部７４とが略直交している。第２張出部７２は、当該第２張出部７２が厚み方向に貫通された第２孔部Ｈ２を有する。第２孔部Ｈ２の軸線及び径は、第１孔部Ｈ１の軸線及び径とそれぞれ一致している。
【００２３】
第２延長部７４は、図５に示すように、第２基端部７６からの延長方向の先端となる第２先端辺７４ａ（先端辺）と、第２先端辺７４ａと第２基端部７６との間に位置しているとともに互いに対向する２つの第２対向辺７４ｂ，７４ｃ（対向辺）と、を有する。第２先端辺７４ａは、浄化装置外周面３２との溶接部である第２先端辺溶接部７８ａ（先端辺溶接部）を有する。第２対向辺７４ｂは、浄化装置外周面３２との溶接部である第２対向辺第１溶接部７８ｂ（対向辺溶接部）を有する。第２対向辺７４ｃは、浄化装置外周面３２との溶接部である第２対向辺第２溶接部７８ｃ（対向辺溶接部）を有する。各溶接部７８ａ，７８ｂ，７８ｃは、対応する各辺７４ａ，７４ｂ，７４ｃの一部のみに設けられている。各溶接部７８ａ，７８ｂ，７８ｃは、対応する各辺７４ａ，７４ｂ，７４ｃの全域に亘って設けられてもよい。
【００２４】
例えば建設機械の動作等に伴ってケース３１が振動し、ボルトＢを介して第１外周面用ステイ５０Ａに荷重が作用することがある。第１外周面用ステイ５０Ａは、この後説明するとおり、各方向への荷重に対して、特定の溶接部に引張応力が集中しない構成にある。
【００２５】
例えば、図６に示すように、第１外周面用ステイ５０Ａに対してＺ軸方向に沿う荷重Ｆ１が作用した場合には、第２先端辺溶接部７８ａに引張応力Ｐ１Ｂ（太矢印）が作用し、第１先端辺溶接部６８ａに圧縮応力Ｐ１Ａ（太矢印）が作用する。ケース３１の溶接部に大きな引張応力が集中した場合、薄肉のケース３１は引張応力には弱いため、溶接部が破損したりケース３１が変形したりし易い。一方で、ケース３１の溶接部に大きな圧縮応力が集中した場合には、薄肉のケース３１は圧縮応力に対しては強度が高いため、溶接部の破損やケースの変形等が抑制される。したがって、圧縮応力Ｐ１Ａはケース３１に受け止められる。この結果、第１外周面用ステイ５０Ａの位置が維持されて、第２先端辺溶接部７８ａに引張応力Ｐ１Ｂが集中しない。したがって、ケース３１に亀裂が生じることが防止される。第１外周面用ステイ５０Ａに対して、荷重Ｆ１とは反対側へＺ軸方向に沿う荷重が作用した場合には、第２先端辺溶接部７８ａに圧縮応力が作用することで、第１先端辺溶接部６８ａに引張応力が集中しない。したがって、ケース３１に亀裂が生じることが防止される。第２外周面用ステイ５０Ｂは、Ｚ軸方向に沿う荷重に対して第１外周面用ステイ５０Ａと同様に機能する。
【００２６】
図７に示すように、第１外周面用ステイ５０Ａに対してＸ軸方向に沿う荷重Ｆ２が作用した場合には、第１対向辺第２溶接部６８ｃ及び第２対向辺第２溶接部７８ｃに引張応力Ｐ２Ｂ（太矢印）が作用し、第１対向辺第１溶接部６８ｂ及び第２対向辺第１溶接部７８ｂに圧縮応力Ｐ２Ａ（太矢印）が作用する。上述のようにケース３１は圧縮応力に対して強度が高いことから、圧縮応力Ｐ２Ａはケース３１にて受け止められる。この結果、第１外周面用ステイ５０Ａの位置が維持されて、第１対向辺第２溶接部６８ｃ及び第２対向辺第２溶接部７８ｃに引張応力Ｐ２Ｂが集中しない。したがって、ケース３１に亀裂が生じることが防止される。第１外周面用ステイ５０Ａに対して、荷重Ｆ２とは反対側へＸ軸方向に沿う荷重が作用した場合には、第１対向辺第２溶接部６８ｃ及び第２対向辺第２溶接部７８ｃに圧縮応力が作用することで、第１対向辺第１溶接部６８ｂ及び第２対向辺第１溶接部７８ｂに引張応力が集中しない。したがって、ケース３１に亀裂が生じることが防止される。
【００２７】
図８に示すように、両外周面用ステイ５０Ａ，５０Ｂに対してＹ軸方向に沿う荷重Ｆ３が作用した場合（両取付対象物１５０からそれぞれの外周面用ステイ５０Ａ，５０Ｂに荷重Ｆ３が作用した場合）には、第１外周面用ステイ５０Ａの各溶接部６８ａ，６８ｂ，６８ｃ，７８ａ，７８ｂ，７８ｃに引張応力Ｐ３Ｂ（太矢印）が作用し、第２外周面用ステイ５０Ｂの各溶接部６８ａ，６８ｂ，６８ｃ，７８ａ，７８ｂ，７８ｃに圧縮応力Ｐ３Ａ（太矢印）が作用する。上述のようにケース３１は圧縮応力に対して強度が高いことから、圧縮応力Ｐ３Ａはケース３１にて受け止められる。この結果、両外周面用ステイ５０Ａ，５０Ｂの位置が維持されて、第１外周面用ステイ５０Ａの各溶接部６８ａ，６８ｂ，６８ｃ，７８ａ，７８ｂ，７８ｃに引張応力Ｐ３Ｂが集中しない。したがって、ケース３１に亀裂が生じることが防止される。両外周面用ステイ５０Ａ，５０Ｂに対して、荷重Ｆ３とは反対側へＹ軸方向に沿う荷重が作用した場合には、第１外周面用ステイ５０Ａの各溶接部６８ａ，６８ｂ，６８ｃ，７８ａ，７８ｂ，７８ｃに圧縮応力が作用することで、第２外周面用ステイ５０Ｂの各溶接部６８ａ，６８ｂ，６８ｃ，７８ａ，７８ｂ，７８ｃに引張応力が集中しない。したがって、ケース３１に亀裂が生じることが防止される。
【００２８】
このように、上述の構成においては、浄化装置外周面３２との溶接部を有する外周面用ステイ５０を用いることで、Ｕ字ボルトを用いることなく浄化装置外周面３２を利用してケース３１を取付対象部材１５０に取付けることができ、かつ、外周面用ステイ５０を介してケース３１にかかる荷重に起因してケース３１に亀裂が生じることが防止される。なお、外周面用ステイ５０は、断面形状がＬ字型の２つの構成ステイ６０，７０によって構成されていることから、構成がシンプルである。
【００２９】
以上は、本発明を実施するための形態を図面に関連して説明したが、本発明は上述の実施形態にて説明した構造、構成、外観、形状等に限定されるものではなく、本発明の要旨を変更しない範囲で種々の変更、追加、削除が可能である。ケース３１は、円筒状に限定されるものではなく、例えば楕円筒状や角筒状（矩形筒状）等でもよく、筒状であればよい。固定部は、孔部Ｈに限定されるものではなく、例えば突起部等、取付対象物に固定できる構造であればどのようなものでもよい。
【００３０】
両外周面用ステイ５０Ａ，５０Ｂの設置位置は、図１〜３に示す位置に限定されるものではない。第１外周面用ステイ５０Ａの設置位置は、第１領域３１ａのいずれの箇所でもよい。第２外周面用ステイ５０Ｂの設置位置は、第２領域３１ｂのいずれの箇所でもよい。両外周面用ステイ５０Ａ，５０Ｂは、軸線仮想平面Ｓ（図１，２参照）を挟んで対称な位置に配置されていなくてもよい。両外周面用ステイ５０Ａ，５０Ｂは、ケース軸線Ｊ方向にズレた位置に配置されていてもよい。両外周面用ステイ５０Ａ，５０Ｂは、第１領域３１ａと第２領域３１ｂとにそれぞれ一つ以上設けられていればよく、複数設けられてもよい。
【００３１】
外周面用ステイ５０は、両構成ステイ６０，７０を一体成形したものでもよい。
【００３２】
張出部５２（図４参照）の張出方向は、径方向に沿う方向に限定されるものではなく、ケース３１に対して外向きの方向であれば何れの方向でもよい（例えば図９参照）。両構成ステイ６０，７０（図４参照）の形状は、ケース軸線Ｊ方向から見た場合の端面形状がＬ字状のものに限定されない。例えば、第１構成ステイ６０ａ（図９参照）のように、ケース軸線Ｊ方向から見た場合の端面形状において、第１張出部６２が第１延長部６４に対して鋭角に折れ曲がったＶ字状でもよい。また、第２構成ステイ７０ａ（図９参照）のように、ケース軸線Ｊ方向から見た場合の端面形状において、第２張出部７２が第１延長部７４に対して鈍角に折れ曲がったく字状でもよい。なお、図９において図１〜８と同一もしくは実質同一な構成・機能を有すると考えられる箇所には、図１〜８と同一の符号を付すことで、重複する説明は省略する。
【符号の説明】
【００３３】
１０   エンジン
３０   排気浄化装置
３１   ケース
３２   浄化装置外周面（外周面）
５０   外周面用ステイ（取付体）
５０Ａ 第１外周面用ステイ（取付体）
５０Ｂ 第２外周面用ステイ（取付体）
５２   張出部
５４ａ，５４ｂ       延長部
５６   基端部
６０   第１構成ステイ（第１取付体）
６２   第１張出部
６４   第１延長部
６４ａ 第１先端辺（先端辺）
６４ｂ，６４ｃ       第１対向辺（対向辺）
６８ａ 第１先端辺溶接部（先端辺溶接部）
６８ｂ 第１対向辺第１溶接部（対向辺溶接部）
６８ｃ 第１対向辺第２溶接部（対向辺溶接部）
７０   第２構成ステイ（第２取付体）
７２   第２張出部
７４   第２延長部
７４ａ 第２先端辺（先端辺）
７４ｂ，７４ｃ       第２対向辺（対向辺）
７８ａ 第２先端辺溶接部（先端辺溶接部）
７８ｂ 第２対向辺第１溶接部（対向辺溶接部）
７８ｃ 第２対向辺第２溶接部（対向辺溶接部）
１５０ 取付対象部材（取付対象物）
Ｓ     軸線仮想平面
Ｑ     直交仮想平面
Ｈ     孔部（固定部）
Ｊ     ケース軸線
【図１】
0006597438.tif 000002
【図２】
0006597438.tif 000003
【図３】
0006597438.tif 000004
【図４】
0006597438.tif 000005
【図５】
0006597438.tif 000006
【図６】
0006597438.tif 000007
【図７】
0006597438.tif 000008
【図８】
0006597438.tif 000009
【図９】
0006597438.tif 000010